(57)【特許請求の範囲】
【請求項１】
自動車の座席に設置されるチャイルドシートにおいて、
チャイルドシート本体と、該チャイルドシート本体の底部に回動自在に取り付けられたチャイルドシートの設置角度調整用のボトムブロックとを備えてなり、
該ボトムブロックは、該チャイルドシート本体の底面の前半側に重なった第１の状態と該底部の後半側に重なった第２の状態とをとりうるように一端側がチャイルドシート本体に回動自在に取り付けられており、
該ボトムブロックは、一端側よりも他端側の厚みが大となっているチャイルドシートであって、
該ボトムブロックのうち該チャイルドシート本体に対して回動自在に取り付けられた箇所よりも該他端側に後退した位置に第１フック部が設けられており、
該チャイルドシート本体の底面のうち該前半側と該後半側との交叉部付近に第２フック部が設けられており、
該第１フック部と該第２フック部との間に引張コイルバネが蓄力状態にて架設されており、
該ボトムブロックは、該チャイルドシート本体の底面のうち該前半側及び該後半側のいずれのサイドに回動されてきた場合でも、該引張コイルバネによって、該チャイルドシート本体の底面に引き込まれる方向に付勢されることを特徴とするチャイルドシート。
【請求項２】
請求項１において、該チャイルドシート本体の底面に凹所が設けられており、
該凹所は、該ボトムブロックが該第１の状態をとったときに該ボトムブロックの上部を受け入れる前部側と、該ボトムブロックが該第２の状態をとったときに該ボトムブロックの上部を受け入れる後部側とからなり、
該ボトムブロックの側面に、
該ボトムブロック内に固定配置されたケースと、
該ケース内に基端側が摺動自在に収容され、先端側が該側面から外方に突出している突出子と、
該突出子を突出方向に付勢するバネと
からなるクリック機構が設けられており、
該凹所の側面に、該突出子が入り込むための突出子用凹部が設けられていることを特徴とするチャイルドシート。
【請求項３】
請求項１又は２において、前記チャイルドシートの底面は、前後方向の中間付近が下方に凸となっており、この中間付近に前記ボトムブロックの前記一端側が取り付けられていることを特徴とするチャイルドシート。
【請求項４】
請求項３において、前記ボトムブロックは、前記一端側から他端側に向って徐々に厚みが大となる略三角柱形状であることを特徴とするチャイルドシート。
【請求項５】
請求項４において、前記ボトムブロックが第１の状態にあるときには、チャイルドシート本体の底面の後半側からボトムブロックの下面にかけて略面一状となり、前記ボトムブロックが第２の状態にあるときには、チャイルドシート本体の底面の前半側からボトムブロックの下面にかけて略面一状となることを特徴とするチャイルドシート。
【請求項６】
請求項１ないし５のいずれか１項において、前記チャイルドシート本体は、座部及び背当部を有した椅子状体と、該椅子状体をリクライニング角度調整可能に支承した基台とを備えてなり、前記ボトムブロックは該基台の底部に取り付けられていることを特徴とするチャイルドシート。
【発明の詳細な説明】
【０００１】
【発明の属する技術分野】
本発明は、自動車の座席に設置され、子供が座るチャイルドシートに係り、特に該座席に設置されるときの設置角度の変更機能を有したチャイルドシートに関する。
【０００２】
【従来の技術】
チャイルドシートには、リクライニング角度が調整できないタイプのものと、リクライニング角度を調整できるタイプのものとがある。リクライニング機構付きのチャイルドシートとして、特開平８−２７６７７１号には、子供が座る座部及び子供の背中が当る背当部を有した椅子状体を基台部に支承させてなるチャイルドシートにおいて、椅子状体の底面を凸曲させ、基台部の上面を凹曲させ、椅子状体を基台部の上面に沿って滑動させることによりリクライニング角度を調整可能としたものが記載されている。
【０００３】
【発明が解決しようとする課題】
通常、首のすわっていない乳児をチャイルドシートに載せる場合には、チャイルドシートは後向きに設置される。一方、首のすわった生後９ヶ月以降の幼児をチャイルドシートに載せる場合には、チャイルドシートは前向きに設置される。従来のチャイルドシートにあっては、乳児及び幼児のいずれをも載せることができるようにするためには、リクライニング機構が必須であった。即ち、リクライニング機構が付いていないチャイルドシートを後向きに設置して乳児を載せようとした場合、チャイルドシートの背当部（背もたれ部分）が直立（鉛直）に近い角度になってしまい、乳児を載せるには不適当となる。また、リクライニング機構のないチャイルドシートを前向きに設置して幼児を載せようとした場合、背当部が過度に後方に傾いた状態となってしまう。
【０００４】
そのため、リクライニング機構のない乳児用チャイルドシートを購入したユーザーは、子供が生後９ヶ月以上に成長した場合幼児用のチャイルドシートを購入する必要が生じ、金銭的負担が大きい。
【０００５】
椅子状体のリクライニング角度を調節するリクライニング機構付きチャイルドシートであれば、チャイルドシートを後向きに設置して乳児搭載用とするときにはリクライニングを深くする（水平に近い方向に寝かす）ようにし、一方チャイルドシートを前向きに設置して幼児搭載用とするときにはリクライニングを浅くする（直立に近い方向に立てる）ようにすることにより、乳児及び幼児のいずれにも適切な椅子状体据付け角度とすることができる。
【０００６】
ところが、従来のリクライニング機構付きチャイルドシートは、リクライニング角度調整に手間がかかるため、自動車の座席に対して前後向きを変更して設置し直すのに手間がかかっていた。
【０００７】
本発明は、チャイルドシートを乳児搭載用に後向きに設置した場合でも、また幼児搭載用に前向きに設置した場合でも、椅子状体の角度がそれぞれ適切となるように自動車の座席に簡単に据え付けることができるチャイルドシートを提供することを目的とする。本発明は、特に、通常のリクライニング機構とは別の機構により椅子状体の角度を切り替えることができるチャイルドシートを提供することを目的とする。
【０００８】
【課題を解決するための手段】
本発明のチャイルドシートは、自動車の座席に設置されるチャイルドシートにおいて、チャイルドシート本体と、該チャイルドシート本体の底部に回動自在に取り付けられたチャイルドシートの設置角度調整用のボトムブロックとを備えてなり、該ボトムブロックは、該チャイルドシート本体の底面の前半側に重なった第１の状態と該底部の後半側に重なった第２の状態とをとりうるように一端側がチャイルドシート本体に回動自在に取り付けられており、該ボトムブロックは、一端側よりも他端側の厚みが大となっているチャイルドシートであって、該ボトムブロックのうち該チャイルドシート本体に対して回動自在に取り付けられた箇所よりも該他端側に後退した位置に第１フック部が設けられており、該チャイルドシート本体の底面のうち該前半側と該後半側との交叉部付近に第２フック部が設けられており、該第１フック部と該第２フック部との間に引張コイルバネが蓄力状態にて架設されており、該ボトムブロックは、該チャイルドシート本体の底面のうち該前半側及び該後半側のいずれのサイドに回動されてきた場合でも、該引張コイルバネによって、該チャイルドシート本体の底面に引き込まれる方向に付勢されることを特徴とするものである。
【０００９】
本発明では、チャイルドシートを幼児用に前向きに設置するときにはボトムブロックをチャイルドシートの後半側に位置させる第２の状態とし、椅子状体を背もたれの立った状態とする。また、チャイルドシートを乳児用に後向きに設置するときにはボトムブロックをチャイルドシートの前半側に位置させる第１の状態とし、椅子状体を背もたれの寝た状態とする。これにより、従来のリクライニング機構がないチャイルドシートであっても、チャイルドシートの椅子状体の設置角度が、幼児用の前向き設置及び乳児用の後ろ向き設置のいずれの場合でも、それぞれ適切なものとなる。
【００１０】
【発明の実施の形態】
以下、図面を参照して本発明の実施の形態について説明する。第１図は本発明の実施の形態に係るチャイルドシートの後方からの斜視図、第２図はこのチャイルドシートを座席に前向きに設置したときの側面図、第３図は第１図のチャイルドシートの底部を後方から見上げた斜視図、第４図はこのチャイルドシートを後向きに座席に設置したときの側面図、第５図は第４図のチャイルドシートの前方からの斜視図、第６図は第４図のチャイルドシートの底部を前方から見上げた斜視図、第７図はボトムブロックの斜視図、第８図は第７図のVII−VII線に沿う断面図、第９図はボトムブロックの基台への取付構造を示す説明図である。なお、以下の説明において、チャイルドシートの前後方向とはチャイルドシートに座った子供にとっての前後方向であり、左右方向とはチャイルドシートに座った子供にとっての左右方向をいう。
【００１１】
このチャイルドシート１は、自動車の座席２（第２図）に設置され、この座席２のシートベルト４によって該座席２に固定されるものであり、図示の通り、椅子状体６及びこの椅子状体６を支える基台８よりなるチャイルドシート本体９と、基台８の底部に取り付けられたボトムブロック３０と、椅子状体６に着席した子供（幼児）の体を拘束する子供用ウェビング１０（１０Ｒ，１０Ｌ）及び締付ウェビング１１とを備えている。
【００１２】
本実施の形態では、このチャイルドシート１は、該椅子状体６が基台８に対し前後にリクライニング可能となっている。
【００１３】
本実施の形態では、該シートベルト４は座席２の座部の上面に沿って該座席２の左右に引き回される腰ベルト４ａと、座席２のシートバックの前面を斜め上下方向に横切るように引き回される肩ベルト４ｂとからなる。このシートベルト４はタング４ｃに挿通されており、このタング４ｃが座席２の下部に取り付けられたバックル４ｄにラッチ可能となっている。なお、該肩ベルト４ｂの先端にはリトラクタ（図示略）が接続されており、このシートベルト４には該リトラクタによって巻取り方向に張力が加えられている。
【００１４】
第５図に明示の通り、該椅子状体６は、子供が腰掛ける座部１２と、該座部１２の後部から起立する背当部１４とを有する。
【００１５】
第１図に明示の通り、この椅子状体６を左右に貫通するようにシートベルト挿通口１６が設けられている。このシートベルト挿通口１６は、座部１２から背当部１４にかけて延設されている。
【００１６】
この椅子状体６の左側縁及び右側縁に沿って、且つ該椅子状体６の下面から背面にかけて連続して、凸条よりなるリブ１８が延設されている。各リブ１８は、座部１２の下面を前後方向に延在し、背当部１４の背面を上下方向に延在している。第４図の通り、各リブ１８のうち、座部１２の下部付近に位置する部分には、該リブ１８の延在方向に延在するスリット１８ａ，１８ｂが設けられている。この実施の形態では、座部１２の前部側にスリット１８ａが設けられ、後部側にスリット１８ｂが設けられている。
【００１７】
第４図の通り、該基台８内には、該スリット１８ａ，１８ｂ内に係合したガイドピン１８ｐが設けられている。このガイドピン１８ｐは、椅子状体６のリクライニングに伴って該スリット１８ａ，１８ｂ内を相対移動する。該ガイドピン１８ｐは、椅子状体６が基台８から離反しないよう保持すると共に、椅子状体６のリクライニング範囲を規制している。
【００１８】
子供用ウェビング１０Ｒは子供の右半身に掛けられるものであり、子供用ウェビング１０Ｌは子供の左半身に掛けられるものである。各子供用ウェビング１０Ｒ，１０Ｌは、第５図に明示の通り、前端が座部１２の左右縁部に固定され、後端側は背当部１４のウェビング挿通孔２０から該背当部１４の後方に引き出されている。椅子状体６の座部１２の前縁中央にストラップ２１の下端が固定され、このストラップ２１の上端にバックル２２が取り付けられている。右ウェビング１０Ｒ及び左ウェビング１０Ｌはそれぞれトング２３Ｌ，２３Ｒに挿通され、このトング２３Ｌ，２３Ｒがバックル２２に挿入されて係止されている。
【００１９】
第１図の通り、各子供用ウェビング１０Ｒ，１０Ｌは、背当部１４の背後面に沿って下方に延在し、接続金具１１ｊを介して締付ウェビング１１に連結されている。この締付ウェビング１１は、第２図の通り、背当部１４の背面から座部１２の下面に引き回され、ウェブアジャスタ（図示略）を通って座部１２の前端面の前方に引き出されている。
【００２０】
前記基台８は、椅子状体６をリクライニング可能に保持している。該基台８は、この椅子状体６の左右のリブ１８，１８をそれぞれ該リクライニング方向に摺動可能に保持している。
【００２１】
該基台８の左右の側面には、それぞれ前記シートベルト挿通口１６内に引き通されたシートベルト４の腰ベルト４ａを掛けるための腰ベルト案内部材２４が設けられている。
【００２２】
第３図及び第６〜９図に明示の通り、この基台８の底面にボトムブロック３０が前後方向回動自在に取り付けられている。このボトムブロック３０は一端側即ち回動基端側３１から他端側即ち回動後端側３９にかけて次第に厚みが増大する三角柱形状のものである。
【００２３】
この基端側３１の左右両端に凸部３２が設けられ、該凸部３２に設けられたヒンジ孔３３（第７，９図）にヒンジピン３４が挿通され、該ヒンジピン３４によってボトムブロック３０が基台８に回動可能に取り付けられている。このヒンジ孔３３及びヒンジピン３４は左右方向に延在しており、且つ基台８の底面の前後方向の略中間付近に配置されている。そのため、ボトムブロック３０は、第１〜３図の通り該基台底面の後部側８Ｒに重なる第２の状態と、第４〜１０図の通り基台底面の前部側８Ｆに重なる第１の姿勢とをとりうるように約１８０°回動可能となっている。
【００２４】
この実施の形態では、基台８の底面は、該前部側８Ｆと後部側８Ｒとが斜交している。具体的には、前部側８Ｆを水平面に当接させたときに後部側８Ｒが後方ほど高位となる形状となっている。前部側８Ｆと後部側８Ｒとの交叉部分付近に前記ヒンジピン３４が配置される。
【００２５】
この実施の形態では、基台８の底面に凹所５０が設けられている。この凹所５０の天井面も前部側５０Ｆと後部側５０Ｒとが該ヒンジピン３４付近にて交叉するように斜交している。
【００２６】
第９図の通り、この凹所５０の前部側５０Ｆと後部側５０Ｒとの交叉部付近には凹部５１が設けられ、この凹部５１内にバネ６０のフック部５２が設けられている。ボトムブロック３０には、ヒンジピン３４よりも回動後端側３９に後退した位置にフック部３５が設けられており、これらのフック部３５，５２間に引張コイルバネ６０が蓄力状態にて架設されている。このバネ６０により、ボトムブロック３０は凹所５０の前部側５０Ｆ及び後部側５０Ｒのいずれのサイドに回動されてきた場合でも、常に凹所５０内に引き込まれる方向に付勢される。
【００２７】
この実施の形態では、第７，８図の通り、凹所５０内に引き込まれたボトムブロック３０を軽度に係止するためのクリック機構４０がボトムブロック３０の両側面に設けられている。このクリック機構４０は、ボトムブロック３０内に固定配置された筒状ケース４１と、該筒状ケース４１内に基端側が摺動自在に収容され、半球状の先端側がボトムブロック３０の側面から外方に突出している突出子４２と、該突出子４２を突出方向に付勢するバネ４３とを備えている。
【００２８】
第３，６図の通り、凹所５０の前部側５０Ｆ及び後部側５０Ｒの側面にはそれぞれ該突出子４２が入り込む半球状凹部４９が設けられている。ボトムブロック３０を前部側又は後部側に回動させて凹所５０の前部側５０Ｆ又は後部側５０Ｒに重ね合わせると、突出子４２が該凹部４９に入り込み、ボトムブロック３０が軽度に係止される。
【００２９】
なお、第２〜６図の通り、この実施の形態では基台８の後部側の前部側８Ｆと後部側８Ｒとの交叉角度は、凹所５０の前部側５０Ｒと後部側５０Ｆとの交叉角度に略等しい。そして、該交叉角度と１８０°との差は、ボトムブロック３０の基端側３１の挟角とほぼ等しい。また、凹所５０の深さはヒンジ孔３３付近のボトムブロック３０の厚さとほぼ等しくなっている。そのため、ボトムブロック３０を前部側に回動させたときには基台８の底面の後部側８Ｒと前部側のボトムブロック３０の底面とは略面一状（略同一平面状）となる。また、ボトムブロック３０を後部側に回動させたときには基台８の底面の前部側８Ｆとボトムブロック３０の底面とは略面一状となる。
【００３０】
なお、ボトムブロック３０の該挟角は２０〜５０°程度が好ましい。
【００３１】
このように構成されたチャイルドシート１を座席２に前向きに設置するには、まず、ボトムブロック３０を第１〜３図のように基台８の底面の後部側８Ｒに重なるようにチャイルドシート１の後側へ回動させておく。次いで、第２図のようにこのチャイルドシート１を該座席２の座面上に前向きに載置し、チャイルドシート本体６の挿通口１６にシートベルト４を挿通した後、このシートベルト４のタング４ｃをバックル４ｄにラッチする。なお、該シートベルト４の腰ベルト４ａを腰ベルト案内部材２４に挿通する。
【００３２】
この第１〜３図のように設置されたチャイルドシート１にあっては、椅子状体６はその背当部１４が比較的直立した状態となっており、首の座った幼児を載せるのに好適である。
【００３３】
また、このチャイルドシート１を座席２に後向きに設置するには、まず第４〜６図のようにボトムブロック３０を基台８の底面の前部側８Ｆに重なるようにチャイルドシート１の前側へ回動させておく。次いで、第４図のようにこのチャイルドシート１を該座席２の座面上に後向きに載置し、チャイルドシート本体６の挿通口１６にシートベルト４を挿通した後、このシートベルト４のタング４ｃをバックル４ｄにラッチする。なお、該シートベルト４の腰ベルト４ａを腰ベルト案内部材２４に挿通する。
【００３４】
自動車の座席に前向きに設置されていたチャイルドシート１を後向きに設置し直すときには、ボトムブロック３０のみを回動させることにより、チャイルドシート１を同一の座部傾斜となるように設置することができる。そのため、チャイルドシート１の前後向き変換に際し、椅子状体６の基台８へのリクライニング角度調整を行うことなく、チャイルドシート１を設置することができる。
【００３５】
第４図の通り、ボトムブロック３０を基台８の底面の前部側８Ｆに位置させた状態にてチャイルドシート１を後向きに設置することにより、チャイルドシート１は背当部１４がかなり深く後傾した所謂寝た状態となるので、乳児は仰臥に近い姿勢にてチャイルドシート１に保持される。
【００３６】
上記の実施の形態のチャイルドシート１にあっては、子供用ウェビング１０が引き回されたチャイルドシート本体６の座部１２の下面及び背当部１４の後面と、該座部１２の上面及び背当部１４の前面との間にシートベルト４の挿通口１６が介在していることから、該子供用ウェビング１０が座部１２の下面や背当部１４の後面を摺動しても、その振動が該座部１２の上面や背当部１４の前面に伝わりにくく、このチャイルドシート本体２に着席した子供にとって非常に座り心地がよいものとなっている。
【００３７】
また、このチャイルドシート１にあっては、シートベルト４の引き回しに際し、該シートベルト４がチャイルドシート本体２の座部１２及び背当部１４を左右に貫通した挿通口１６内に挿通されるため、該座部１２の下面及び該背当部１４の後面に沿って引き回される子供用ウェビング１０とは直接的には交叉しない。これにより、該シートベルト４及び子供用ウェビング１０のいずれを引き回す場合にも互いに全く邪魔にならず、これらの引き回し作業を極めて容易に行うことができる。
【００３８】
この実施の形態では、シートベルト４の腰ベルト４ａを腰ベルト案内部材２４に掛け通しており、この腰ベルト案内部材２４を基台８に設けているので、チャイルドシート本体６をシートベルト４に拘束を受けることなく自在にリクライニングさせることができる。
【００３９】
【発明の効果】
以上の通り、本発明のチャイルドシートは、自動車の座席に乳児用に前向きに設置するときと幼児用に後向きに設置するときとで、ボトムブロックを回動させるだけで背当部の角度を乳児及び幼児にとって適切なものとすることができる。また、本発明では、チャイルドシートの向き変更に際しリクライニング機構の操作を不要とし、向き変更作業を容易とすることも可能である。本発明は、リクライニング機構のないチャイルドシートにも適用できる。
【図面の簡単な説明】
【図１】本発明の実施の形態に係るチャイルドシートの後方からの斜視図である。
【図２】このチャイルドシートを座席に前向きに設置したときの側面図である。
【図３】第１図のチャイルドシートの底部を後方から見上げた斜視図である。
【図４】このチャイルドシートを後向きに座席に設置したときの側面図である。
【図５】第４図のチャイルドシートの前方からの斜視図である。
【図６】第４図のチャイルドシートの底部を前方から見上げた斜視図である。
【図７】ボトムブロックの斜視図である。
【図８】第７図のVII−VII線に沿う断面図である。
【図９】ボトムブロックの基台への取付構造を示す説明図である。
【符号の説明】
１  チャイルドシート
２  座席
４  シートベルト
４ａ  腰ベルト
６  椅子状体
８  基台
９  チャイルドシート本体
１０  子供用ウェビング
１２  座部
１４  背当部
１６  シートベルト挿通口
１８  リブ
３０  ボトムブロック
３１  基端側
３３  ヒンジ孔
３４  ヒンジピン
３９  後端側
４０  クリック機構
５０  凹所
６０  バネ
【図１】
0004131106.tif 000002
【図２】
0004131106.tif 000003
【図３】
0004131106.tif 000004
【図４】
0004131106.tif 000005
【図５】
0004131106.tif 000006
【図６】
0004131106.tif 000007
【図７】
0004131106.tif 000008
【図８】
0004131106.tif 000009
【図９】
0004131106.tif 000010